(57)【要約】【課題】  操作性に優れ、かつ作業効率のよいメンテナンスモニタ装置を提供する。【解決手段】機器に関する設定や動作状態等を示す各種データについて内容に応じて設定された項目を記憶手段１４に記憶させるとともに、操作手段１２による上記項目の指定操作に基づいて、指定された項目に対応するデータを制御手段１３が取得して表示手段１１に表示させるモニタ装置において、予め設定される少なくとも２以上の項目を記憶するための特定項目記憶手段を備え、上記表示手段１１に上記データを表示させるにあたり、上記特定項目記憶手段に記憶された項目に対応するデータを所定の順序で順送りに切り替え表示する。【選択図】  図１
2005241137.tif 000002
【特許請求の範囲】
【請求項１】
機器に関する設定や動作状態等を示す各種データについて、その内容に応じて異なる項目が設定され、操作手段による前記項目の指定操作に基づいて、指定された項目に対応するデータを取得して表示手段に表示させる表示制御手段とを備えたメンテナンスモニタ装置において、
前記項目のうちから選択される少なくとも２以上の項目を記憶するための特定項目記憶手段を備え、
前記表示制御手段は、前記表示手段に前記データを表示させるにあたり、前記特定項目記憶手段に記憶された項目に対応するデータを所定の順序で順送りに切り替え表示させる制御構成を有することを特徴とするメンテナンスモニタ装置。
【請求項２】
前記特定項目記憶手段に記憶される項目が、前記操作手段により任意に選択可能とされていることを特徴とする請求項１に記載のメンテナンスモニタ装置。
【請求項３】
前記表示手段での表示の切り替えが、前記操作手段の操作によって行われることを特徴とする請求項１または２に記載のメンテナンスモニタ装置。
【請求項４】
前記表示手段での表示の切り替えが、各データの表示開始から所定時間経過後に自動的に行われることを特徴とする請求項１または２に記載のメンテナンスモニタ装置。
【請求項５】
前記表示制御手段は、前記データを前記表示手段に文字のみで表示させる文字表示モードと、前記データを文字や図形などを用いたグラフィックで表示させるグラフィック表示モードとを備え、前記操作手段の操作により、前記文字表示モードと前記グラフィック表示モードとが切替可能とされていることを特徴とする請求項１から４のいずれかに記載のメンテナンスモニタ装置。
【請求項６】
前記表示制御手段は、前記表示手段に前記データを表示させるにあたり、当該データの過去における最大値または最小値の少なくとも一方と当該データの現在値とを同時にまたは切替可能に表示させる限度値表示モードを備えていることを特徴とする請求項１から４のいずれかに記載のメンテナンスモニタ装置。
【請求項７】
請求項１から６のいずれかに記載のメンテナンスモニタ装置であって、前記表示制御手段が、前記表示手段に、前記項目の指定操作に応じたデータを表示させるメンテナンスモニタ表示モードと、他の事項を表示させる他の表示モードとを備えるものにおいて、
前記メンテナンスモニタ表示モードで表示した画面の情報を記憶する表示履歴記憶手段を備え、
前記表示制御手段は、前記メンテナンスモニタ表示モードに突入した時に、前記表示履歴記憶手段に記憶された履歴データに基づいて、前回のメンテナンスモニタ表示モードにおいて最後に表示した項目および／または当該項目に対応するデータを初期表示として前記表示手段に表示させる制御構成を備えたことを特徴とするメンテナンスモニタ装置。
【請求項８】
請求項１から６のいずれかに記載のメンテナンスモニタ装置であって、前記表示制御手段が、前記表示手段に、前記項目の指定操作に応じたデータを表示させるメンテナンスモニタ表示モードと、他の事項を表示させる他の表示モードとを備えるものにおいて、
前記メンテナンスモニタ表示モードで表示した画面の情報を記憶する表示履歴記憶手段を備え、
前記表示制御手段は、前記メンテナンスモニタ表示モードに突入した時に、前記表示履歴記憶手段に記憶された履歴データに基づいて、前回のメンテナンスモニタ表示モードにおいて表示された項目および／または当該項目に対応するデータを、表示された順番またはその逆順で前記表示手段に表示させる制御構成を備えたことを特徴とするメンテナンスモニタ装置。
【請求項９】
前記メンテナンスモニタ表示モード終了時からの経過時間を計測する計時手段を備え、
前記表示制御手段は、前記メンテナンスモニタ表示モードに突入した際に、前記計時手段での計測結果に基づいて、前回のメンテナンスモニタ表示モード終了時からの時間が所定時間内である場合に限り請求項７または８に記載の制御構成を実行するように構成されていることを特徴とするメンテナンスモニタ装置。
【請求項１０】
請求項１から６のいずれかに記載のメンテナンスモニタ装置であって、前記表示制御手段が、前記表示手段に、前記項目の指定操作に応じたデータを表示させるメンテナンスモニタ表示モードと、他の事項を表示させる他の表示モードとを備えるものにおいて、
前記メンテナンスモニタ表示モードに突入時の初期表示用の項目として、少なくとも２以上の項目を記憶する初期表示項目記憶手段を備え、
前記表示制御手段は、前記メンテナンスモニタ表示モードに突入した時に、前記表示手段の初期表示として前記初期表示項目記憶手段に記憶された項目を一覧表示し、前記操作手段により、当該一覧表示のうちから一の項目が選択されると、前記一覧表示を解除して当該選択された一の項目に対応するデータを前記表示手段に表示させる制御構成を有することを特徴とするメンテナンスモニタ装置。
【請求項１１】
請求項１０に記載のメンテナンスモニタ装置において、前記表示制御手段は、前記メンテナンスモニタ表示モード突入時の初期表示にあたり、前記一覧表示とともに各項目の内容を示す文字や記号などからなる補助表示を表示させる制御構成を有することを特徴とするメンテナンスモニタ装置。
【請求項１２】
請求項１から６のいずれかに記載のメンテナンスモニタ装置であって、前記項目として故障内容を表示させるための項目が設けられ、当該各項目が選択されると、故障内容を特定するためのエラーコードデータを取得して表示させるものにおいて、
前記エラーコードデータの種別に応じて、予め関連する項目を記憶する関連項目記憶手段を備え、
前記表示制御手段は、前記表示手段に前記データを表示させるにあたり、前記操作手段により前記故障内容を表示させる項目が選択されると、当該選択された項目および当該項目に対応するエラーコードデータの表示と、前記関連項目記憶手段に記憶されたデータに基づいて当該エラーコードデータに関連する項目および当該項目に対応するデータの表示とを切替可能に表示させることを特徴とするメンテナンスモニタ装置。
【請求項１３】
請求項１から６のいずれかに記載のメンテナンスモニタ装置であって、前記項目として故障内容を表示させる項目が少なくとも２以上設けられたものにおいて、
前記表示制御手段は、前記表示手段に前記データを表示させるにあたり、前記操作手段により前記故障内容を表示させる項目のうちのいずれかが選択されると、前記故障内容を  表示させる項目の全てまたはその一部について、少なくとも当該項目に対応するデータとして取得したエラーコードデータを前記表示手段に一覧表示させる制御構成を備えたことを特徴とするメンテナンスモニタ装置。
【請求項１４】
前記故障内容を表示させる項目が一覧表示された状態において、操作手段により、当該一覧表示のうちから一の項目が選択されると、前記一覧表示の全部または一部を解除して、前記選択された項目に対応するエラーコードデータについての詳細データを当該解除された部分に表示させる制御構成を有することを特徴とする請求項１３に記載のメンテナンスモニタ装置。
【発明の詳細な説明】
【技術分野】
【０００１】
この発明はメンテナンスモニタ装置（以下、モニタ装置と称する）に関し、より詳細には、メンテナンス時に機器の設定や動作状態等を表示させるモニタ装置におけるモニタ内容の表示技術に関する。
【背景技術】
【０００２】
従来、給湯装置等の住宅設備機器においては、メンテナンス時に作業員が当該機器の設定や動作状態等を確認するためのモニタ装置が備えられている。たとえば、給湯装置では、この種のモニタ装置は、給湯装置を遠隔操作するためのリモコンに内蔵されており、通常のスイッチ操作では操作されることのない隠しスイッチや隠し操作等によってモニタ機能のためのソフトウェアが起動し、リモコンの表示部に機器の設定や動作状態等が表示されるように構成されている。
【０００３】
ところで、このようにリモコンの表示部を利用して給湯装置の設定や動作状態等をモニタするにあたり、従来のリモコンの表示部は、２桁または４桁の文字をいわゆる７セグメント表示するタイプのものが主流であったため、上記モニタ機能で当該表示部に表示できる内容は極めて制限されていた。
【０００４】
そのため、従来のモニタ装置では、機器の設定や動作状態など表示すべき内容ごとに２桁程度の数値からなる項目番号を付与しておき、上記表示部にモニタ内容を表示する際には、この項目番号と当該項目番号に対応するモニタ内容のデータ（たとえば、センサの検出温度データなど）を一括または交互に表示するように構成されていた。たとえば、下記の特許文献１参照。
【０００５】
その一方、最近では、液晶表示装置やドットマトリクス蛍光表示管装置等、文字や図形を自由に表示できる表示装置が安価に提供されるようになり、給湯装置のリモコンにおいても、このような表示装置を備えたものが一般的となっている。
【０００６】
【特許文献１】特開平８−２７５２５２号公報
【発明の開示】
【発明が解決しようとする課題】
【０００７】
しかしながら、このように表示の自由度が向上したリモコンが提供されているにもかかわらず、モニタ表示に関しては、依然として上述したような従来の表示方式が用いられている。そのため、機器の保守・点検時等にモニタ装置を起動しても、表示部には１項目についての数値データしか表示されないので使い勝手がよくなかった。たとえば、機器の保守・点検時には、関連する複数の項目のデータ（たとえば、設定値データとそれに対応する実測値データなど）を参照したい場合があるが、従来の表示方式では、見たい項目があるとその都度表示項目を変更させる操作が必要となり、表示操作が煩雑で作業効率が悪かった。また、たとえば、モニタするデータが変化を伴うようなデータである場合には、その変化の状態を把握しにくいといった問題もあった。さらには、給湯装置のリモコンのように限られた操作スイッチしか備えていない装置にモニタ機能を付与しているので、モニタ機能に関する操作（たとえば表示する項目の選択や決定操作）が煩雑となるといった問題もあった。
【０００８】
本発明は、このような従来の問題点に鑑みてなされたものであって、その目的とするところは、操作性に優れ、かつ作業効率のよいモニタ装置を提供することにある。
【課題を解決するための手段】
【０００９】
上記目的を達成するため、請求項１に記載のモニタ装置は、機器に関する設定や動作状態等を示す各種データについて、その内容に応じて異なる項目が設定され、操作手段による上記項目の指定操作に基づいて、指定された項目に対応するデータを取得して表示手段に表示させる表示制御手段とを備えたモニタ装置において、上記項目のうちから選択される少なくとも２以上の項目を記憶するための特定項目記憶手段を備え、上記表示制御手段は、上記表示手段に上記データを表示させるにあたり、上記特定項目記憶手段に記憶された項目に対応するデータを所定の順序で順送りに切り替え表示させる制御構成を有することを特徴とする。
【００１０】
そして、その好適な実施態様として、請求項２に記載のモニタ装置は、上記特定項目記憶手段に記憶される項目が、上記操作手段により任意に選択可能とされていることを特徴とする。
【００１１】
請求項３に記載のモニタ装置は、上記表示手段での表示の切り替えが、上記操作手段の操作によって行われることを特徴とする。
【００１２】
請求項４に記載のモニタ装置は、上記表示手段での表示の切り替えが、各データの表示開始から所定時間経過後に自動的に行われることを特徴とする。
【００１３】
請求項５に記載のモニタ装置は、請求項１から４のいずれかに記載のモニタ装置において、上記表示制御手段が、上記データを上記表示手段に文字のみで表示させる文字表示モードと、上記データを文字や図形などを用いたグラフィックで表示させるグラフィック表示モードとを備え、上記操作手段の操作により、上記文字表示モードと上記グラフィック表示モードとが切替可能とされていることを特徴とする。
【００１４】
請求項６に記載のモニタ装置は、請求項１から４のいずれかに記載のモニタ装置において、上記表示制御手段が、上記表示手段に上記データを表示させるにあたり、当該データの過去における最大値または最小値の少なくとも一方と当該データの現在値とを同時にまたは切替可能に表示させる限度値表示モードを備えていることを特徴とする。
【００１５】
請求項７に記載のモニタ装置は、請求項１から６のいずれかに記載のモニタ装置であって、上記表示制御手段が、上記表示手段に、上記項目の指定操作に応じたデータを表示させるメンテナンスモニタ表示モードと、他の事項を表示させる他の表示モードとを備えるものにおいて、上記メンテナンスモニタ表示モードで表示した画面の情報を記憶する表示履歴記憶手段を備え、上記表示制御手段は、上記メンテナンスモニタ表示モードに突入した時に、上記表示履歴記憶手段に記憶された履歴データに基づいて、前回のメンテナンスモニタ表示モードにおいて最後に表示した項目および／または当該項目に対応するデータを初期表示として上記表示手段に表示させる制御構成を備えたことを特徴とする。
【００１６】
請求項８に記載のモニタ装置は、請求項１から６のいずれかに記載のモニタ装置であって、上記表示制御手段が、上記表示手段に、上記項目の指定操作に応じたデータを表示させるメンテナンスモニタ表示モードと、他の事項を表示させる他の表示モードとを備えるものにおいて、上記メンテナンスモニタ表示モードで表示した画面の情報を記憶する表示履歴記憶手段を備え、上記表示制御手段は、上記メンテナンスモニタ表示モードに突入した時に、上記表示履歴記憶手段に記憶された履歴データに基づいて、前回のメンテナンスモニタ表示モードにおいて表示された項目および／または当該項目に対応するデータを、表示された順番またはその逆順で上記表示手段に表示させる制御構成を備えたことを特徴とする。
【００１７】
請求項９に記載のモニタ装置は、上記メンテナンスモニタ表示モード終了時からの経過時間を計測する計時手段を備え、上記表示制御手段は、上記メンテナンスモニタ表示モードに突入した際に、上記計時手段での計測結果に基づいて、前回のメンテナンスモニタ表示モード終了時からの時間が所定時間内である場合に限り請求項７または８に記載の制御構成を実行するように構成されていることを特徴とする。
【００１８】
請求項１０に記載のモニタ装置は、請求項１から６のいずれかに記載のモニタ装置であって、上記表示制御手段が、上記表示手段に、上記項目の指定操作に応じたデータを表示させるメンテナンスモニタ表示モードと、他の事項を表示させる他の表示モードとを備えるものにおいて、上記メンテナンスモニタ表示モードに突入時の初期表示用の項目として、少なくとも２以上の項目を記憶する初期表示項目記憶手段を備え、上記表示制御手段は、上記メンテナンスモニタ表示モードに突入した時に、上記表示手段の初期表示として上記初期表示項目記憶手段に記憶された項目を一覧表示し、上記操作手段により、当該一覧表示のうちから一の項目が選択されると、上記一覧表示を解除して当該選択された一の項目に対応するデータを上記表示手段に表示させる制御構成を有することを特徴とする。
【００１９】
請求項１１に記載のモニタ装置は、請求項１０に記載のモニタ装置において、上記表示制御手段は、上記メンテナンスモニタ表示モード突入時の初期表示にあたり、上記一覧表示とともに各項目の内容を示す文字や記号などからなる補助表示を表示させる制御構成を有することを特徴とする。
【００２０】
請求項１２に記載のモニタ装置は、請求項１から６のいずれかに記載のメンテナンスモニタ装置であって、上記項目として故障内容を表示させるための項目が設けられ、当該各項目が選択されると、故障内容を特定するためのエラーコードデータを取得して表示させるものにおいて、上記エラーコードデータの種別に応じて、予め関連する項目を記憶する関連項目記憶手段を備え、上記表示制御手段は、上記表示手段に上記データを表示させるにあたり、上記操作手段により上記故障内容を表示させる項目が選択されると、当該選択された項目および当該項目に対応するエラーコードデータの表示と、上記関連項目記憶手段に記憶されたデータに基づいて当該エラーコードデータに関連する項目および当該項目に対応するデータの表示とを切替可能に表示させることを特徴とする。
【００２１】
請求項１３に記載のモニタ装置は、請求項１から６のいずれかに記載のメンテナンスモニタ装置であって、上記項目として故障内容を表示させる項目が少なくとも２以上設けられたものにおいて、上記表示制御手段は、上記表示手段に上記データを表示させるにあたり、上記操作手段により上記故障内容を表示させる項目のうちのいずれかが選択されると、上記故障内容を表示させる項目の全てまたはその一部について、少なくとも当該項目に対応するデータとして取得したエラーコードデータを上記表示手段に一覧表示させる制御構成を備えたことを特徴とする。
【００２２】
請求項１４に記載のモニタ装置は、上記故障内容を表示させる項目が一覧表示された状態において、操作手段により、当該一覧表示のうちから一の項目が選択されると、上記一覧表示の全部または一部を解除して、上記選択された項目に対応するエラーコードデータについての詳細データを当該解除された部分に表示させる制御構成を有することを特徴とする。
【発明の効果】
【００２３】
請求項１に記載の発明によれば、特定項目記憶手段に予め関連する項目（たとえば、設定値の項目と当該設定に対応する実測値の項目など）を設定しておけば、これらの項目が順次切り替え表示されるので、表示項目変更の度に複雑な表示指示操作をする必要がない。したがって、機器の保守・点検時等において、操作性がよく、かつ作業効率の向上を図り得るモニタ装置を提供することができる。また、請求項１に記載の発明は、２以上の項目を切り替えて表示するので、文字等の表示領域が狭いなど、表示手段に多くの情報を一度に表示できない場合にも適用可能である。
【００２４】
また、請求項２に記載の発明によれば、上記特定項目記憶手段に記憶される項目が操作手段によって任意に設定可能であるので、使用目的に合わせて必要な項目を適宜選択でき、使い勝手のよいモニタ装置を提供できる。
【００２５】
また、請求項３に記載の発明によれば、表示手段での表示切り替えのタイミングが操作手段の操作に委ねられているので、特定の項目を長時間表示させることも可能である。したがって、作業員は作業の進行ペース等に合わせて表示切り替えを行うことができる。
【００２６】
また、請求項４に記載の発明によれば、表示手段での表示切り替えのタイミングが自動的に行われるので、作業員は表示切り替え操作等に煩わされることなく作業を行うことができる。
【００２７】
また、請求項５に記載の発明によれば、上記表示制御手段が文字表示モードとグラフィック表示モードとを切替可能に備えているので、値が刻々と変化するようなデータ（たとえば温度データなど）については、グラフィック表示モードを選択することで、データの変化の状態を把握容易なグラフ等で表示させることができ、データの変化の経緯等を容易に確認することができる。
【００２８】
また、請求項６に記載の発明によれば、上記表示制御手段が、データの現在値と、当該データの過去における最大値または最小値の少なくとも一方とを同時またはこれらを切り替え表示する限度値表示モードを備えていることから、値が変化するようなデータについてその変化の状態を容易に確認することができる。
【００２９】
また、請求項７に記載の発明によれば、メンテナンスモニタ表示モードに突入した時に、上記表示制御手段が表示履歴記憶手段に記憶された履歴データに基づいて前回のメンテナンスモニタ表示モードにおいて最後に表示した項目および／または当該項目に対応するデータを初期表示として上記表示手段に表示させるので、たとえば、保守・点検作業中にメンテナンスモニタ表示モードを一時的に解除して再び表示させるような場合に、前回表示した内容が直ちに表示され保守・点検作業を効率よく行うことができる。
【００３０】
また、請求項８に記載の発明によれば、メンテナンスモニタ表示モードに突入した時に、上記表示制御手段が表示履歴記憶手段に記憶されたデータに基づいて前回のメンテナンスモニタ表示モードにおいて表示された項目および／または当該項目に対応するデータを、表示された順番またはその逆順で上記表示手段に表示させるので、たとえば、保守・点検作業中にメンテナンスモニタ表示モードを一時的に解除して再び表示させるような場合に、前回表示した内容を速やかに選択表示させることができ、保守・点検作業を効率よく行うことができる。
【００３１】
また、請求項９に記載の発明によれば、メンテナンスモニタ表示モードに突入した際に、上記表示制御手段が計時手段での計測結果に基づいて前回のメンテナンスモニタ表示モード終了時からの時間が所定時間内である場合に限り請求項７または８に記載の制御を実効するように構成されていることから、メンテナンスモニタ表示モードを終了してから所定時間が経過すると、メンテナンスモニタ表示モードに突入しても通常の初期画面が表示されるようになり、必要のない項目が表示されることによる煩わしさが解消される。
【００３２】
また、請求項１０に記載の発明によれば、メンテナンスモニタ表示モードに突入時の初期表示として、初期表示項目記憶手段に記憶された項目が表示手段に一覧表示されるとともに、当該一覧表示のうちから一の項目を選択することによって当該選択された項目に対応するデータが上記表示手段に表示されるので、表示させる頻度の高い項目を予め初期表示項目記憶手段に記憶させておくことにより、表示させたい項目のデータを迅速に表示させることができ、作業効率の向上を図ることができる。
【００３３】
また、請求項１１に記載の発明によれば、上記一覧表示とともに各項目の内容を示す文字や記号などからなる補助表示が表示されるので、たとえば項目が簡略化された数値等で表示される場合でも、その内容を容易に把握でき、表示させたい項目を迅速に選択することができ、作業効率の向上を図ることができる。
【００３４】
また、請求項１２に記載の発明によれば、操作手段により故障内容を表示させる項目が選択されると、当該選択された項目および当該項目に対応するエラーコードデータの表示と、上記エラーコードで特定される故障内容に関連する項目およびこの関連項目に対応するデータの表示とが切り替え可能に表示されるので、故障原因の探求を迅速に行うことができる。
【００３５】
また、請求項１３に記載の発明によれば、過去の故障内容を表示させる項目として少なくとも２以上の項目が設けられたモニタ装置において、これらの項目のうちのいずれかが選択されると、故障内容を表示させる項目の全てまたはその一部について、少なくとも当該項目に対応するデータとして取得したエラーコードデータが表示手段に一覧表示されるので、故障原因の探求を迅速に行うことができる。
【００３６】
また、請求項１４に記載の発明によれば、請求項１３に記載のモニタ装置において、故障内容を表示させる項目の一覧表示のうちから一の項目が選択されると、上記一覧表示の全部または一部を解除して、当該解除された部分（表示領域）に上記選択された項目に対応する詳細データが表示されるので、詳細なデータを見やすく表示することができ、作業効率の向上に資することができる。
【発明を実施するための最良の形態】
【００３７】
以下、本発明のモニタ装置の実施形態を図面に基づいて詳細に説明する。
【００３８】
図１は、本発明のモニタ装置を給湯装置のリモコンに適用した給湯システムの概略構成図を示しており、１は本発明のモニタ装置を含んでなる給湯装置のリモコン、２は給湯装置本体、３はリモコン１と給湯装置本体２とを接続する通信線を示している。また、４は浴槽、５はシャワーを示しており、これら浴槽４およびシャワー５にはそれぞれ給湯配管６が接続されている。なお、図中のリモコン１のうち、符号１ａで示すのは浴室に配設される浴室リモコン、符号１ｂで示すのは台所に配設される台所リモコンを示している。
【００３９】
図２(a)は、リモコン１の概略構成を示すブロック図である。図示のように、リモコン１は、表示手段１１と、操作スイッチ等で構成される操作手段１２と、該操作手段１２での操作内容を受け付けて給湯装置本体２に制御信号を送信し、また、給湯装置本体２からの制御信号を受信して給湯装置本体２の動作状態等を上記表示手段１１に表示させる等の処理を実行する制御手段１３と、データ等を記憶する記憶手段１４と、給湯装置本体２や他のリモコン１との通信用インターフェイス手段１５とを主要部として構成される。
【００４０】
そして、本発明のモニタ装置は、モニタ事項の表示手段として上記リモコン１の表示手段１１を用いるとともに、当該表示手段１１の表示制御手段として上記制御手段１３を用いている。つまり、上記制御手段１３には、モニタ装置としての機能（モニタ機能）を実現させるための制御プログラムが格納されるとともに、上記記憶手段１４には、上記モニタ機能に関連する各種データを記憶する記憶領域が設けられている。
【００４１】
そして、上記モニタ機能用の制御プログラムを起動させることにより、上記表示手段１１における表示が、リモコン１としての通常の表示（給湯設定温度や風呂設定温度など給湯装置本体２の遠隔操作に関する事項の表示）からモニタ装置としての表示（表示させる項目の選択画面の表示やモニタ事項の内容の表示）に切り替えられる。つまり、上記制御手段１３は、上記表示手段１１にモニタ装置としての表示（モニタ表示）を行わせるメンテナンスモニタ表示モード（以下、モニタ表示モードと称する）と、上記通常の表示を行わせる他の表示モードとを備えて構成されている。
【００４２】
なお、上記記憶手段１４の記憶領域に記憶されるデータの詳細な内容は後述する本発明の実施形態との関係で明らかにするが、いずれの実施形態にも共通する内容として、本発明に係るモニタ装置においては、上記モニタ表示モード下で、上記操作手段１２の操作等によって表示手段１１に表示させる項目（具体的には、上記項目毎に設定される固有の項目番号）が指定されると、制御手段１３が、給湯装置本体２や他のリモコン１ｂ等との通信によってこの指定された項目に対応するデータを取得し、取得したデータを表示用に加工して上記表示手段１１に表示するように構成されている。
【００４３】
図２(b)は、上記リモコン１（具体的には、リモコン１のうちの浴室リモコン１ａ）の外観構成の一例を示す正面図である。図示のように、浴室リモコン１ａは、上記表示手段１１として、液晶表示パネル装置やドットマトリクス蛍光表示管装置のように文字や図形を自由に表示可能な表示装置を備えている。また、上記操作手段１２として、給湯装置本体２の運転モードのオン／オフを切り替える運転スイッチ１２ａ、給湯設定温度の高低などを調節するためのアップスイッチ１２ｂおよびダウンスイッチ１２ｃ、表示手段１１の表示モードの切り替え等を行うための設定スイッチ１２ｄ、給湯運転の設定温度の操作権を切り替えるための優先スイッチ１２ｅ、浴槽４への自動湯張りを行わせるためのふろ自動スイッチ１２ｆ、風呂の追い焚き運転を行わせるための追いだきスイッチ１２ｇ、台所リモコン１ｂなど他のリモコンにおいて人を呼び出すための呼出スイッチ１２ｈ等の各種操作スイッチを備えている。
【００４４】
そこで、以下において、本発明のモニタ装置の詳細について説明する。なお、上述したように、本発明のモニタ装置は、リモコン１に格納されたモニタ機能用の制御プログラムを起動することにより実現されるが、当該制御プログラムの起動手順（上記モニタ表示モードへの突入手順）は、たとえば、上記アップスイッチ１２ｂとダウンスイッチ１２ｃの同時押し下げ操作など、通常のリモコン操作では行わない操作が好適に採用される。
【００４５】
そして、このように通常行われることのない特殊な操作により、上記制御手段１３がモニタ表示モードに突入すると、上記表示手段１１にはモニタ表示モード下での初期画面が表示される。この初期画面は、モニタ機能を用いて表示手段１１に表示させたい項目の選択を求める画面であり、具体的には上記項目番号の入力を求める画面とされる。
【００４６】
そして、上記項目番号が操作手段１２の操作（たとえば上記アップ・ダウンスイッチ１２ｂ，１２ｃ等の操作によって数値を増減し、設定スイッチ１２ｄにより確定する操作）によって入力されると、制御手段１３が当該項目番号に対応するデータを通信により取得して表示手段１１に当該データを表示させる。
【００４７】
実施形態１
第１の実施形態に示すモニタ装置は、たとえば設定値とそれに対応する実測値などのように参照したいデータ等が複数ある場合に、当該参照したいデータのみを表示手段１１に表示させ、見たい項目のデータを素早く見ることができるモニタ装置であって、上記記憶手段１４に、少なくとも２以上の項目を記憶する記憶領域（特定項目記憶手段）を備えて構成される。
【００４８】
ここで、上記特定項目記憶手段に記憶される項目は、工場出荷時等に予め特定の項目を設定して記憶させておくことも可能であるが、本実施形態では、上記操作手段１２の操作によって任意に設定可能とされる。なお、この項目の設定は、たとえば、モニタ表示モードの初期画面中に項目設定画面への切り替え用の項目を設定しておき、当該項目の選択により項目設定画面を表示させ、その画面の指示に従って項目の設定を可能にしておくのが好ましい。
【００４９】
なお、図３(a)は、上記項目設定画面の一例を示しており、また、図３(b)は、上記項目設定画面で上記項目として「３３」と「０６」とを順番に選択し、さらに項目「０３」を追加選択している状態の画面を示している。つまり、図示例では、上記特定項目記憶手段に項目「３３」，「０６」，「０３」が記憶された場合を示している。なお、この項目設定画面における項目の設定方法については適宜設計可能であるが、たとえば、上記アップスイッチ１２ｂおよびダウンスイッチ１２ｃとで項目番号を選択入力し、設定スイッチ１２ｄの長押しなどの特殊な操作によって、入力した項目を確定・記憶させるといった手法が好適に採用される。
【００５０】
このようにして、上記特定項目記憶手段に対する項目の設定操作が完了すると、表示手段１１には、所定の順序（たとえば、上記項目選択の順序）に従って項目の番号と当該項目に対応するデータが表示される。たとえば、上記所定の順序として項目の選択順が設定されていると、まず、最初に設定された項目の番号「３３」とこの項目に対応するデータ「０００」とが表示される（図４ステップＳ１参照）。そして、この状態で操作手段１２（たとえばアップスイッチ１２ｂ）の所定操作を再度行うことにより、表示手段１１には上記特定項目記憶手段に設定された次の項目の番号「０６」とこの項目に対応するデータ「１００」が表示される（図４ステップＳ２参照）。以下、同様に、操作手段１２の所定操作を繰り返すことによって上記所定の順序に従って特定項目記憶手段に記憶された項目と当該項目に対応するデータが順送りに切り替え表示される。
【００５１】
このように、実施形態１に記載の発明によれば、上記特定項目記憶手段に予め関連する項目（たとえば、設定値の項目と当該設定に対応する実測値の項目など）を設定しておけば、その後は操作手段１２の所定操作を繰り返すことによって設定された項目だけが順次切り替え表示されるので、設定した項目以外の項目が表示されることがなく、また、表示項目変更の際に複雑な表示変更操作は必要でないので、操作性に優れ、かつ作業効率の向上に貢献し得るモニタ装置を提供できる。
【００５２】
なお、上述した実施形態では、上記表示手段１１での表示の切り替えが、上記操作手段１２の所定操作によって行われる場合を示したが、たとえば、表示手段１１における表示の切り替えが、各データの表示開始から所定時間経過後に自動的に行われるように構成しておくことも可能である。つまり、制御手段１３は、画面の表示開始（図４の例ではステップＳ１の画面の表示開始）からの経過時間を内部クロック等によるカウンタでカウントし、そのカウント値が所定時間に到達するとカウンタをリセットするとともに、次の画面（図４の例ではステップＳ２の画面）を表示するように構成しておくことも可能である。
【００５３】
また、上述した実施形態では、表示手段１１として、文字や図形を自由に表示できる表示装置を用いたので、項目と当該項目に対応するデータとを同一画面上に一括して表示する場合を示したが、たとえば７セグメント表示タイプの表示装置を用いるなど、文字等の表示領域に制限がある場合には、項目と当該項目に対応するデータを項目・データの順で順次切り替え表示するように構成することも可能である。
【００５４】
実施形態２
第２の実施形態に示すモニタ装置は、上述したモニタ装置の改変例であって、上記制御手段１３は、上記表示手段１１にデータを表示させるにあたり、当該データを文字のみで表示させる文字表示モードと、データを文字や図形などを用いたグラフィックで表示させるグラフィック表示モードとを備えて構成される。
【００５５】
すなわち、この第２の実施形態に示すモニタ装置は、モニタ表示モードで上記表示手段１１にデータを表示させる際に、たとえば図５ステップＳ１に示すように、表示手段１１の表示を数字を中心とした文字のみで行うか（図中では「数字データ」と表示）、それともデータをグラフ化して表示するか（図中では「画像データ」と表示）を選択させる画面を表示する。
【００５６】
そして、操作手段１２の所定操作により、上記「数字データ」が選択されると、上述した図４に示すようにデータを文字のみで表示する。一方、「画像データ」が選択されると、図５ステップＳ２に示すように、折れ線グラフなどの図表を用いてデータの変化の状況を視認できるように表示する。なお、図５ステップＳ２において表示される項目「３１」は出湯温度データ（たとえば「４０５」というデータは「４０．５℃」を示す）を表示する項目であり、画面に描かれたグラフでは横軸を時間軸として縦軸に出湯温度が表示されている。
【００５７】
したがって、本実施形態によれば、これまで文字のみで表示されていたデータがグラフィックを用いて表示され、時間的な変化をもつデータについてその変化がわかりやすく表示されるので、データの分析を容易に行うことができるようになる。
【００５８】
なお、図示例では、表示手段１１に表示されるグラフィックとして折れ線グラフを用いた場合を示したが、棒グラフのような他の態様のグラフや表を用いるなど、その表示態様は適宜設計変更可能である。また、上述した実施形態では、図５ステップＳ１に示すように「数字データ」と「画像データ」の選択画面を設けて両者を選択可能に構成したが、特定の項目に対してはこのような選択画面を設けずに、予め数字データのみ、または画像データのみを表示するように設定しておくことも可能である。
【００５９】
実施形態３
第３の実施形態に示すモニタ装置は、上述したモニタ装置の改変例であって、上記制御手段１３は、上記表示手段１１にデータを表示させるにあたり、当該データの過去における最大値または最小値の少なくとも一方と当該データの現在値とを同時にまたは切替可能に表示させる限度値表示モードを備えている。
【００６０】
すなわち、この第３の実施形態に示すモニタ装置は、モニタ表示モードで上記表示手段１１にデータを表示させる際に、たとえば図６ステップＳ１に示すように、表示手段１１に現在のデータのみを表示するか（図中では「現在値データ」と表示）、それとも当該データの過去における最大値や最小値などの限度値も併せて表示するか（図中では「限度値データ」と表示）を選択させる画面を表示する。
【００６１】
そして、操作手段１２の所定操作により、上記「現在値データ」が選択されると表示手段１１には現在のデータのみが表示される。その一方、「限度値データ」が選択されると、たとえば図６ステップＳ２に示すように、現在のデータ（図中では「ＮＯＷ」と表示）と、過去の最大値（図中では「ＭＡＸ」と表示）と、過去の最小値（図中では「ＭＩＮ」と表示）とを一つの画面上に同時に表示する。
【００６２】
したがって、本実施形態によれば、表示手段１１にデータを表示させるにあたり限度値表示モードを選択することで、現在のデータとともに過去の最大値や最小値も同時に表示されるので、これまでのデータの経緯を一見して把握することができ、データの分析が容易となる。
【００６３】
なお、図示例では、現在値とともに最大値と最小値を同時に表示する場合を示したが、操作手段１２の所定操作により、最大値および最小値のいずれか一方のみの表示を選択可能に構成したり、あるいはまた、これら最大値や最小値の表示と現在値の表示とを切替可能に構成することも可能である。
【００６４】
また、表示される限度値については、たとえばモニタ表示モードに突入した後の限度値を表示させたり、あるいは直近の所定時間内における限度値、さらには、今回の給湯運転開始からの限度値など、適宜設計変更可能である。また、限度値として、上記最大値および最小値の他、たとえば平均値など他のデータを用いることも可能である。さらに、上述した実施形態では、「現在値データ」と「限度値データ」の選択画面を設けて両者を選択可能に構成したが、特定の項目に対してはこのような選択画面を設けずに、予めいずれか一方に設定しておくことも可能である。
【００６５】
実施形態４
第４の実施形態に示すモニタ装置は、一度モニタ表示モードを解除した後に再びモニタ表示モードに突入した際に、通常の初期表示に代えて前回のモニタ表示モードで表示した画面を表示するようにしてなるモニタ装置であって、上記記憶手段１４に、モニタ表示モードで表示した画面の情報（たとえば、表示した項目や表示したデータの内容）を記憶する記憶領域（表示履歴記憶手段）を備えて構成される。
【００６６】
すなわち、この表示履歴記憶手段は、図７に示すように、モニタ表示モードで表示した項目を記憶するための記憶領域として少なくとも１つ（本実施形態では１０個の記憶領域１４０〜１４９）を備えて構成される。そして、モニタ表示モード下で、上記表示手段１１にいずれかの項目（たとえば項目「０６」）が表示されると、その項目を第１の記憶領域１４０に履歴データとして記憶する。そして、操作手段１２の操作によって表示手段１１に他の項目（たとえば項目「２０」）が表示されると、第１の記憶領域１４０に記憶されていた履歴データを第２の記憶領域１４１に移して、上記他の項目のデータを第１の記憶領域１４０に記憶させる。つまり、モニタ表示モードで表示される最新の画面に関する情報を第１の記憶領域１４０に残しつつ、古い情報は順次第２の記憶領域１４１から第１０の記憶領域１４９に記憶させ、記憶領域が一杯になると最も古い履歴データを削除するように構成される。
【００６７】
そして、上記制御手段１３は、操作手段１２の操作によってモニタ表示モードに突入すると（換言すれば、上記モニタ機能用の制御プログラムが起動すると）、その際に、上記表示履歴記憶手段に記憶された履歴データに基づいて（具体的には、上記第１の記憶領域１４０のデータに基づいて）、前回のモニタ表示モードにおいて最後に表示した項目を上記表示手段１１に表示させる。つまり、制御手段１３は、上記第１の記憶領域に記憶された項目に対応するデータを給湯装置本体２との通信により取得して表示手段１１に表示する。
【００６８】
これにより、モニタ表示モードを再起動したような場合に、前回（直近に）モニタ表示モードを使用した際に、当該モニタ表示モード下で最後に表示させた項目と同じ項目についての最新データが初期表示として表示手段１１に表示されるので、たとえば、保守・点検作業中にモニタ表示モードを一時的に解除して再び表示させるような場合に、前回表示した項目のデータを速やかに確認でき、保守・点検作業を効率よく行うことができる。特に、この種のリモコンでは、制御手段１３は、モニタ表示モードに移行後一定時間無操作の状態が継続すると自動的にモニタ表示モードを解除して通常の表示モードに復帰する構成を備えていることがあるので、リモコン１がそのような構成を備えている場合には、保守・点検作業中に作業者の意に反してモニタ表示モードが勝手に解除されることがあるが、本実施形態ではそのような場合でも解除前のモニタ表示モードで表示していた項目を直ちに再表示させることができる。
【００６９】
なお、上述した実施形態では、表示履歴記憶手段に記憶させる情報として、表示手段１１に表示した項目を記憶させる構成を採用したが、項目と当該項目に対応するデータの双方を記憶させるように構成し、モニタ表示モードの再起動時には、当該項目と前回表示したデータの内容を表示させることも可能である。
【００７０】
また、上述した実施形態では、前回のモニタ表示モード使用時に最後に表示された画面のみを表示させる場合を示したが、図７のように表示履歴記憶手段に複数の記憶領域を設けておくことで、前回のモニタ表示モードで表示した項目および／または当該項目に対応するデータを、表示された順番またはその逆順で表示させることもできる。つまり、第１０の記憶領域１４９から第１の記憶領域１４０の順でデータを読み出すようにすれば表示された順番に表示でき、反対に、第１の記憶領域１４０から第１０の記憶領域１４９の順でデータを読み出すようにすれば前回の表示とは逆順で表示することができる。
【００７１】
さらに、上述した実施形態では、モニタ表示モードに突入すると常に前回の表示された画面が表示されるように構成されているが、たとえば、制御手段１３の内部クロック等を計時手段として用い、計時手段で上記モニタ表示モード終了時からの経過時間を計測させ、上記モニタ表示モードに突入した際に上記計時手段での計測結果に基づいて、前回のモニタ表示モード終了時からの時間が所定時間内である場合に限り表示履歴記憶手段からデータを読み出すように構成することも可能である。つまり、上記所定時間を適当な時間に設定しておくことで所定時間経過後には、モニタ表示モードに再突入しても通常の初期表示が表示されるようになり、必要のない項目が表示されることによる煩わしさを解消することができる。
【００７２】
実施形態５
第５の実施形態に示すモニタ装置は、モニタ表示モードの初期表示の改変例であって、本実施形態では、上記記憶手段１４に、初期表示用の項目として少なくとも２以上の項目を記憶する記憶領域（初期表示項目記憶手段）を備えて構成され、上記操作手段１２の所定操作により、モニタ表示モードに突入すると、初期表示として上記初期表示項目記憶手段に記憶された項目が上記表示手段１１に一覧表示されるように構成されている。
【００７３】
ここで、上記初期表示項目記憶手段に記憶させる項目の選定は適宜設定可能である。たとえば、図８(a)に示すように、項目の番号を数個飛び（図示例では５個飛び）で表示させるなどの手法を用いて予め初期表示項目記憶手段に特定の項目を記憶させておくことも可能である他、図８(b)に示すように、制御手段１３にモニタ表示モード下で表示した項目を監視させ、表示頻度の高い項目を所定数（図示例では１１項目）だけ記憶させたり、あるいは給湯装置本体２の機種に応じて制御手段１３に項目を特定させたりすることも可能である。さらには、操作手段１２の所定操作によって作業員等に任意に設定させることも可能である。
【００７４】
また、表示手段１１への項目の表示にあたっては、上記制御手段１３のプログラムの設定により、図８(c)に示すように、図８(a),(b)に示すような項目の一覧表示とともに、各項目の内容を示す文字や記号などの補助表示を行わせることも可能である。
【００７５】
そして、上記表示手段１１に項目の一覧表示が行われているときに、操作手段１２の所定操作をする（たとえば、上記アップ・ダウンスイッチ１２ｂ，１２ｃで項目を選択させ、設定スイッチ１２ｄで確定する）ことにより、当該一覧表示のうちから一の項目が選択されると、上記一覧表示を解除して、当該選択された一の項目に対応するデータが上記表示手段１１に表示される。
【００７６】
このように、モニタ表示モード突入時の初期表示として、初期表示項目記憶手段に記憶された項目を表示手段に一覧表示することで、表示させたい項目のデータを迅速に表示手段１１に表示させることができ、作業効率の向上を図ることができる。また、上記一覧表示とともに各項目の内容を示す補助表示を表示することで、各項目の内容を一見して素早く把握でき、表示させたい項目の選択をより迅速に行わせることができる。
【００７７】
実施形態６
第６の実施形態に示すモニタ装置は、上記記憶手段１４に記憶される項目中に現在や過去の故障内容を表示させる項目（たとえば項目「９１」から「９５」）が設けられ、モニタ表示モード下で当該項目が選択されると、項目に対応して故障内容を特定するためのエラーコードデータを取得して表示させるものにおいて、上記記憶手段１４に、エラーコードデータの種別に応じて予め関連する項目を記憶する記憶領域（関連項目記憶手段）が備えられている。
【００７８】
ここで、上記関連項目記憶手段に記憶される項目は、たとえば、エラーコードが「９０１−１」である場合には、項目「３０」，「３３」などのように、上記エラーコードの内容（種類）に応じて予め設定・記憶される。
【００７９】
そして、モニタ表示モード下において、作業者により上記過去の故障内容を表示させる項目（たとえば項目「９１」）が選択されると、図９ステップＳ１に示すように、当該選択された項目（図示例では、「コショウ１」と表示）および当該項目に対応するエラーコード（図示例では「９０１−１」と表示）が表示手段１１に表示される。なお、ここで表示されるエラーコードは、給湯装置本体２の状態に関するデータとして上記制御手段１３が通信により給湯装置本体２から取得したエラーコードデータである。
【００８０】
そして、この状態で、操作手段１２の所定操作（たとえば、設定スイッチ１２ｄの長押しなど）または無操作状態が所定時間継続（所定時間の経過）すると、制御手段１３は上記関連項目記憶手段に記憶された項目を上記表示手段１１に表示させる（図９ステップＳ２参照）。
【００８１】
この関連項目の表示にあたっては、上述したように関連項目記憶手段に項目が複数記憶されている場合には、上記アップ・ダウンスイッチ１２ｄ，１２ｃの操作などにより、関連項目記憶手段に記憶された項目が選択されると、制御手段１３が当該項目に対応するデータを給湯装置本体２との通信により取得して表示手段１１に表示する。つまり、項目を順次選択することにより、当該項目に対応するデータが順送りで表示手段１１に表示される（図９ステップＳ３参照）。なお、図示例では、上記アップ・ダウンスイッチ１２ｄ，１２ｃの操作によって関連項目記憶手段に記憶された項目およびそれに対応するデータのみが順送りで表示される場合を示したが、関連項目記憶手段に記憶された項目を全て表示した後は再び図９ステップＳ１の表示に戻るように構成することも可能である。
【００８２】
このように、本実施形態では、上記操作手段１２により上記故障内容を表示させる項目が選択されると、当該選択された項目および当該項目に対応するエラーコードデータの表示と、上記関連項目記憶手段に記憶された項目および当該項目に対応するデータの表示とが操作手段１２の所定操作または無操作により切り替え可能とされているので、故障原因の探求を迅速に行うことが可能である。
【００８３】
実施形態７
第７の実施形態に示すモニタ装置は、上記記憶手段１４に記憶される項目中に現在または過去の故障内容を表示させる項目が少なくとも２以上（たとえば項目「９１」から「９５」）が設けられたものに適用される。
【００８４】
具体的には、モニタ表示モード下において、上記操作手段１２により上記故障内容を表示させる項目のうちのいずれかが選択されると、図１０ステップＳ１に示すように、上記制御手段１３は、上記故障内容を表示させる項目の全てまたはその一部（図示例では項目「９１」〜「９５」の全て）について、少なくとも当該項目に対応するデータとして取得したエラーコードデータを表示手段１１に一覧表示させる。
【００８５】
そして、この状態で、上記操作手段１２の所定操作（たとえば、上記アップ・ダウンスイッチ１２ｂ，１２ｃで項目を選択し、設定スイッチ１２ｄで確定）を行うことにより、選択された項目の表示（図示例では項目「９１」）を点滅表示等させて選択された項目を確認可能に表示するとともに、上記一覧表示の全部または一部（図示例では項目「９４」，「９５」の表示）の表示を解除して、上記選択された項目（図示例では項目「９１」）に対応する詳細データを通信により取得して当該解除された部分に表示（図示例では、当該故障が何日前に生じたかを示す「００日前」との表示）させる（図１０ステップＳ２参照）。
【００８６】
このように、本実施形態では、故障内容を表示させる項目のうちのいずれかが選択されると、故障内容を表示させる項目の全てまたはその一部について当該に対応するエラーコードデータが表示手段に一覧表示されるので、故障原因の探求を迅速に行うことができる。また、この一覧表示のうちから一の項目が選択されると、上記一覧表示の全部または一部を解除して、上記選択された項目に対応する上記詳細データが表示されるので、故障の詳細なデータを把握することが容易であり、作業効率の向上に資することができる。
【００８７】
なお、上述した実施形態では、エラーコードデータを一覧表示させる際に、エラーコードデータとともに項目番号も表示する場合を図示したが、エラーコードデータのみを一覧表示するように構成することも可能である。また、上述した実施形態では、上記詳細データとして故障の発生日を特定するデータを用いたが、詳細データは故障の原因を特定するために資するデータであれば他のデータを用いることも可能である。また、上述した実施形態において、図１０ステップＳ２の状態で、さらに操作手段１２の所定操作により、図１０ステップＳ３に示すように、項目番号と詳細データとを対応させて表示するように構成することも可能である。
【００８８】
なお、上述した実施形態はあくまでも本発明の好適な実施態様を示すものであって、本発明はこれらに限定されることなくその範囲内で種々の設計変更が可能である。
【００８９】
たとえば、上述した実施形態は、本発明のモニタ装置を給湯装置の浴室リモコン１ａに適用した場合を示したが、台所リモコン１ｂに適用することも可能であることはもちろんのこと、給湯装置本体２に設けることも可能である。また、本発明は、給湯システム以外の機器やシステム（たとえば、空調機器など）にも適用可能である。
【００９０】
また、上述した実施形態では、表示手段１１、操作手段１２、制御手段（表示制御手段）１３および記憶手段（特定項目記憶手段などの各種記憶領域）１４等、モニタ装置の構成の全てがリモコン１側に設けられた場合を示したが、これらの各手段は、給湯システムに分散して設けることも可能である。すなわち、給湯装置本体２とリモコン１とは相互に通信接続されるので、たとえば表示手段１１と操作手段１２のみをリモコン１側に設け、その他の手段はリモコン１と通信接続される給湯装置本体２側に設けるように構成するなど、適宜設計変更可能である。
【図面の簡単な説明】
【００９１】
【図１】本発明のモニタ装置を給湯装置のリモコンに適用した給湯システムの概略構成図である。
【図２】本発明を適用したリモコンの説明図であって、図２(a)は、リモコンの概略構成を示すブロック図であり、図２(b)は、同リモコンの外観構成の一例を示す正面図である。
【図３】本発明の実施形態１に示すモニタ装置の操作手順の一例を示す説明図である。
【図４】同モニタ装置の操作手順の他の一例を示す説明図である。
【図５】本発明の実施形態２に示すモニタ装置の操作手順および表示態様の一例を示す説明図である。
【図６】本発明の実施形態３に示すモニタ装置の操作手順および表示態様の一例を示す説明図である。
【図７】本発明の実施形態４に示すモニタ装置における表示履歴記憶手段の構成を説明する説明図である。
【図８】本発明の実施形態５に示すモニタ装置における項目の一覧表示の一例を示す説明図である。
【図９】本発明の実施形態６に示すモニタ装置の操作手順および表示態様の一例を示す説明図である。
【図１０】本発明の実施形態７に示すモニタ装置の表示態様の一例を示す説明図である。
【符号の説明】
【００９２】
１            リモコン（モニタ装置）
２            給湯装置本体
３            通信線
１１          表示手段
１２          操作手段
１３          制御手段（表示制御手段）
１４          記憶手段
１５          インターフェイス手段
【図１】
2005241137.tif 000003
【図２】
2005241137.tif 000004
【図３】
2005241137.tif 000005
【図４】
2005241137.tif 000006
【図５】
2005241137.tif 000007
【図６】
2005241137.tif 000008
【図７】
2005241137.tif 000009
【図８】
2005241137.tif 000010
【図９】
2005241137.tif 000011
【図１０】
2005241137.tif 000012